(57)【要約】【課題】部品点数と組み立て工数の削減を図った冷蔵庫の提供。【解決手段】機械室カバー１４を構成する金属製カバー１５と樹脂製カバー１６の端部に互い違いに嵌り合う係合片部１７−１，１７−２，１８−１，１８−２を設け、この係合片部の一方に係合凸部２０ａ，２０ｂ、他方にこれが嵌合する係合孔１９ａ，１９ｂを設けて係合連結してある。これにより、金属製カバーと樹脂製カバーはその端部を突き合わせて一方の係合凸部を他方の係合孔に嵌合させるだけでこれら両者を一体に連結することができ、部品点数の削減と組み立て工数の削減を図ることができる。【選択図】図５
2015059700.tif 000002
【特許請求の範囲】
【請求項１】
冷蔵庫本体の天面後部に圧縮機と冷却ファンを収容した機械室を設け、この機械室を覆う機械室カバーは略Ｌ字状の金属製カバーと同略Ｌ字状の樹脂製カバーを結合させて構成し、前記金属製カバーと樹脂製カバーはその略Ｌ字状それぞれの面の端部に互い違いに嵌り合う係合片部を設け、この係合片部の一方には係合凸部、他方にはこれが嵌合する係合孔を設けた構成とした冷蔵庫。
【請求項２】
略Ｌ字状の一方の面の係合片部に設けた係合凸部と係合孔の組み合わせは一組とし、他方の面の係合片部に設けた係合凸部と係合孔の組み合わせは複数組とした請求項請求項１記載の冷蔵庫。
【請求項３】
複数組の係合凸部と係合孔の横幅寸法は他方の一組の係合凸部と係合孔の横幅寸法より小さくした請求項１または２記載の冷蔵庫。
【発明の詳細な説明】
【技術分野】
【０００１】
本発明は、冷蔵庫本体の天面後部に圧縮機を設けた冷蔵庫に関するものである。
【背景技術】
【０００２】
一般にこの種の冷蔵庫は、圧縮機が冷蔵庫本体天面の後部に設けられているため、冷蔵庫本体下部の収納室容積を広く確保できるという利点がある。そして、この種の冷蔵庫は上記圧縮機の温度を冷やすためにファンも冷蔵庫本体天面の後部に設置してある（例えば、特許文献１参照）。
【０００３】
図８は特許文献１に記載されている冷蔵庫を示し、冷蔵庫本体１０１の天面後部に機械室１０２を凹設し、この機械室１０２に圧縮機１０３とこれを冷却する冷却ファン１０４が設けてある。そして、この機械室１０２を機械室カバー１０５で覆っている。
【０００４】
上記機械室カバー１０５は、金属製カバー１０６の一方の端部に吸気口１０７を設けた樹脂製カバー１０８、他方端部に排気口１０９を設けた樹脂製カバー１０８が設けてあり、前記冷却ファン１０４によって吸気口１０７から吸引した外気で圧縮機１０３を冷却した後、排気口１０９から排気するようになっている。
【先行技術文献】
【特許文献】
【０００５】
【特許文献１】特開２０１１−２０２８５９号公報
【発明の概要】
【発明が解決しようとする課題】
【０００６】
前記特許文献１記載の冷蔵庫は機械室カバー１０５を構成する金属製カバー１０６と樹脂製カバー１０８とはビス止めしてあって、金属製カバー１０６と樹脂製カバー１０８に加えこれら両者を結合するビスが必要となって、部品点数が多くなり、しかも金属製カバー１０６と樹脂製カバー１０８が略Ｌ字状になっているためビス止めの箇所が二面になってこれが左右それぞれにあるため組立工数が多く複雑なものとなり、コスト高になるという課題があった。
【０００７】
そこで本発明はこのような点に鑑みてなしたもので、部品点数と組み立て工数の削減を図った冷蔵庫を提供することを目的としたものである。
【課題を解決するための手段】
【０００８】
前記従来の課題を解決するために、本発明の冷蔵庫は、機械室カバーの金属製カバーと樹脂製カバーはその略Ｌ字状それぞれの面の端部に互い違いに嵌り合う係合片部を設け、この係合片部の一方には係合凸部、他方にはこれが嵌合する係合孔を設けた構成としてある。
【０００９】
これにより、金属製カバーと樹脂製カバーはその端部を突き合わせて一方の係合凸部を他方の係合孔に嵌合させるだけでこれら両者を一体に連結することができ、部品点数の削減と組み立て工数の削減を図ることができる。
【発明の効果】
【００１０】
本発明の冷蔵庫は、機械室カバーを構成する金属製カバーと樹脂製カバーとをビス等を用いることなく少ない工数で一体化することができる冷蔵庫とすることができる。
【図面の簡単な説明】
【００１１】
【図１】本発明の実施の形態１に置ける冷蔵庫の斜視図
【図２】同実施の形態１における冷蔵庫を背面側から見た斜視図
【図３】同実施の形態１における冷蔵庫の縦断面図
【図４】同実施の形態１における冷蔵庫の機械室カバーを外した時の斜視図
【図５】同実施の形態１における冷蔵庫の機械室カバーを示す分解斜視図
【図６】同実施の形態１における冷蔵庫の機械室カバー天面部分の係合状態を示す分解斜視図
【図７】（ａ）（ｂ）同実施の形態１における冷蔵庫の機械室カバー背面部分の係合状態を示す分解斜視図
【図８】従来の冷蔵庫の断面図
【発明を実施するための形態】
【００１２】
第１の発明は、冷蔵庫本体の天面後部に圧縮機と冷却ファンを収容した機械室を設け、この機械室を覆う機械室カバーは略Ｌ字状の金属製カバーと同略Ｌ字状の樹脂製カバーを結合させて構成し、前記金属製カバーと樹脂製カバーはその略Ｌ字状それぞれの面の端部に互い違いに嵌り合う係合片部を設け、この係合片部の一方には係合凸部、他方にはこれが嵌合する係合孔を設けた構成としてある。
【００１３】
これにより、機械室カバーの金属製カバーと樹脂製カバーはその端部を突き合わせて一方の係合凸部を他方の係合孔に嵌合させるだけでこれら両者を一体に連結することができ、部品点数の削減と組み立て工数の削減を図ることができる。
【００１４】
第２の発明は、第１の発明において、前記略Ｌ字状の一方の面の係合片部に設けた係合凸部と係合孔の組み合わせは一組とし、他方の面の係合片部に設けた係合凸部と係合孔の組み合わせは複数組とした構成としてある。
【００１５】
これにより、金属製カバーと樹脂製カバーの嵌め合わせ結合は、係合凸部と係合孔の組み合わせが一組の方の面の係合片部同士を嵌合させたのち、この係合片部を支点にして回動させていくことによって他方の面の係合片部同士を嵌合させ、その係合凸部と係合孔を嵌合させて係止することができ、金属製カバーと樹脂製カバー嵌合時の位置合わせが略Ｌ字状の一方の面の一か所の係合凸部と係合孔のみでよくなって、組立性が向上し生産性を向上させることができる。
【００１６】
第３の発明は、第２の発明において、前記複数組の係合凸部と係合孔の横幅寸法は他方の一組の係合凸部と係合孔の横幅寸法より小さくした構成としてある。
【００１７】
これにより、第２の発明における一組の係合凸部と係合孔を有する側の係合片部を支点にして回動させていく際の他方の面の係合片部の係合凸部と係合孔との嵌合がスムースになり、更に生産性を向上させることができる。
【００１８】
以下、本発明の実施の形態について、図面を参照しながら説明する。なお、この実施の形態によってこの発明が限定されるものではない。
【００１９】
（実施の形態１）
図１は本発明の実施の形態１に置ける冷蔵庫の斜視図、図２は同実施の形態１における冷蔵庫を背面側から見た斜視図、図３は同実施の形態１における冷蔵庫の縦断面図、図４は同実施の形態１における冷蔵庫の機械室カバーを外した時の斜視図、図５は同実施の形態１における冷蔵庫の機械室カバーを示す分解斜視図、図６は同実施の形態１における冷
蔵庫の機械室カバー天面部分の係合状態を示す分解斜視図、図７（ａ）（ｂ）は同実施の形態１における冷蔵庫の機械室カバー背面部分の係合状態を示す分解斜視図である。
【００２０】
図１、図２において、１は冷蔵庫本体で、内部には冷蔵室、冷凍室、野菜室等の複数の貯蔵室が設けてあり、扉２で開閉自在となっている。３は冷蔵庫本体１の天面後部に設置された機械室で、冷蔵庫本体１の天面後部に機械室ケース３ａ（図４参照）を嵌め込み装着して形成してある。この機械室３には、図３に示す様に、風上から順に空冷凝縮器４、冷却ファン５、圧縮機６が設置されており、冷却ファン５を駆動することにより空冷凝縮器４と圧縮機６が空冷される。
【００２１】
上記、冷却ファン５はファンリング７に取り付けられ、ファンリング７は機械室３内の風路を冷却ファン５の風上側と風下側に区分している。また、空冷凝縮器４の上部には、空冷凝縮器４を通過せずに冷却ファン５に直接吸入される外気が通過するバイパス風路８を形成している。なお、バイパス風路８は空冷凝縮器４が埃付着などによって閉塞した場合に、外気を直接冷却ファン５に供給するものであり、空冷凝縮器４の１０％〜１５％程度の高さに相当する５〜１５ｍｍの空間が望ましい。
【００２２】
また、前記冷蔵庫本体１の背面下部には下部機械室９が設けてあり、この下部機械室９には風上から順に蒸発皿１１、第２のファン１０が設置されている。そして、第２のファン１０を駆動することにより、冷蔵庫本体１の下部付近の外気を吸入して蒸発皿１１に貯留された除霜水の蒸発を促進するとともに、冷蔵庫本体コーナ部に設けた上向きの連通風路１２を介して前記除霜水の蒸発により冷却された外気を前記機械室３内の空冷凝縮器４に供給し、これと圧縮機６の冷却を促進している。
【００２３】
上記冷蔵庫本体１の天面後部に設けた機械室３は、図４に示す様に、その機械室ケース３ａに機械室カバー１４を装着して覆ってある。この機械室カバー１４は略Ｌ字状に形成した金属製カバー１５と同略Ｌ字状に形成した樹脂製カバー１６を結合させて構成してある。
【００２４】
具体的には、図５に示す様に前記金属製カバー１５と樹脂製カバー１６は、その略Ｌ字状それぞれの面の端部に互い違いに嵌り合う段違い状の係合片部１７−１，１７−２，１８−１，１８−２を設け、この係合片部１７−１，１７−２，１８−１，１８−２の一方には係合凸部２０ａ，２０ｂ、他方にはこれが嵌合する係合孔１９ａ，１９ｂを設けた構成としてある。
【００２５】
図６、図７（ａ）（ｂ）は上記金属製カバーと１５と樹脂製カバー１６の各係合片部１７−１，１７−２，１８−１，１８−２とそこに設けた係合凸部２０ａ，２０ｂと係合孔１９ａ，１９ｂを拡大して示す。
【００２６】
金属製カバーと１５と樹脂製カバー１６の冷蔵庫本体天面側の面の係合片部１７−１，
１８−１は、図６に示す様に、奥行き寸法（図５のＸ）の略１／３の長さに分割形成してあり、この実施の形態では樹脂製カバー１６の係合片部１８−１の略中央部に係合凸部２０ａを設け、この係合凸部２０ａに嵌合させる係合孔１９ａを金属製カバー１５側の係合片部１７−１の略中央に形成してある。すなわち、冷蔵庫本体天面側の面には一組の係合凸部２０ａと係合孔１９ａとの組み合わせが設けてある。
【００２７】
また、金属製カバーと１５と樹脂製カバー１６の冷蔵庫本体背面側の面の係合片部１７−２，  １８−２は、図７（ａ）（ｂ）に示す様に、上下寸法（図５のＹ）の上下端寄り部分に前記天面側の係合片部１７−１，  １８−１より短い幅寸法で２箇所形成してあり、この実施の形態では樹脂製カバー１６の係合片部１８−２に係合凸部２０ｂを設け、こ
の係合凸部２０ｂに嵌合させる係合孔１９ｂを金属製カバー１５側の係合片部１７−２に形成してある。すなわち、冷蔵庫本体背面側の面の係合凸部２０ｂと係合孔１９ｂとの組み合わせは二組としてある。
【００２８】
そして、上記金属製カバー１５と樹脂製カバー１６は、前記各係合凸部２０ａ，２０ｂと係合孔１９ａ，１９ｂを嵌合させて一体に結合し、この状態で機械室ケース３ａにビス止め等によって装着してある。
【００２９】
なお、上記樹脂製カバー１６には冷蔵庫搬送時の持ち手部となる把手２１と吸気口２２（図４中の右側の樹脂製カバー１６）及び排気口２３（図４中の左側の樹脂製カバー１６）が形成してある。
【００３０】
以上のように構成したこの冷蔵庫では、前記機械室カバー１４は前記金属製カバー１５と樹脂製カバー１６それぞれの面の端部に互い違いに嵌り合う係合片部１７−１，１７−２，１８−１，１８−２を設け、この係合片部１７−１，１７−２，１８−１，１８−２の一方１７−１，  １７−２１には係合孔１９ａ，１９ｂ、他方にはこれに嵌合する係合凸部２０ａ，２０ｂを設けているので、この金属製カバー１５と樹脂製カバー１６の端部を突き合わせて一方の係合凸部２０ａ，２０ｂを他方の係合孔１９ａ，１９ｂに嵌合させるだけでこれら両者を一体に連結することができ、部品点数の削減と組み立て工数の削減を図ることができる。
【００３１】
特にこの実施の形態では、前記略Ｌ字状の一方の面、すなわち天面側の係合片部１７−１，１８−１に設けた係合孔１９ａと係合凸部２０ａの組み合わせは一組とし、他方の面の係合片部１７−２，１８−２に設けた係合孔１９ｂと係合凸部２０ｂの組み合わせは複数組としてあるから、金属製カバー１５と樹脂製カバー１６との結合を容易に行うことができる。すなわち、金属製カバー１５と樹脂製カバー１６の嵌め合わせ結合は、一組の係合凸部２０ａと係合孔１９ａを設けた天面側の係合片部１７−１，１７−２同士を嵌合させたのち、この係合片部１７−１，１７−２を支点にして樹脂製カバー１６を回動させていくことによって背面側の面の係合片部１８−１，１８−２同士を嵌合させ、その係合凸部２０ｂと係合孔１９ｂを嵌合させて係止することができる。したがって、金属製カバー１５と樹脂製カバー１６嵌合時の係合凸部２０ａと係合孔１９ａとの位置合わせが略Ｌ字状の天面側の面の一組のみでよく、そしてその位置合わせは一か所となるので、結合作業、換言すると組立性が向上し生産性が大きく向上するのである。
【００３２】
ここで、前記複数組の係合凸部２０ｂと係合孔１９ｂの横幅寸法は他方の一組の係合凸部２０ａと係合孔１９ａの横幅寸法より小さくしてあるから、一組の係合凸部２０ａと係合孔１９ａを有する天面側の係合片部１７−１，１８−１を支点にして回動させていく際の他方の面の係合片部１７−２，１８−２の係合凸部２０ｂと係合孔１９ｂとの嵌合が引っ掛かり等なくスムースになり、更に生産性を向上させることができる。
【００３３】
以上、本発明に係る冷蔵庫について、上記実施の各形態を用いて説明したが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【００３４】
例えば、本実施の形態では、係合凸部２０ａ，２０ｂを樹脂製カバー１６側に設け、係合孔１９ａ，１９ｂを金属製カバー１５側に設けたが、これは逆であってもよい。
【００３５】
また、係合孔１９ａ，１９ｂと係合凸部２０ａ，２０ｂの組み合わせは、一組のものを
天面側の係合片部１７−１，１８−１とし、背面側の係合片部１７−２，１８−２は二組としたが、これも逆であってもよいものである。
【００３６】
また、二組とした係合凸部２０ｂと係合孔１９ｂの組み合わせは、一組或いは二組以上の複数組であってもよいものである。
【産業上の利用可能性】
【００３７】
以上のように、本発明にかかる冷蔵庫は、機械室カバーを構成する金属製カバーと樹脂製カバーとをビス等を用いることなく少ない工数で一体化することができ、家庭用冷蔵庫をはじめとして業務用冷蔵庫、自動販売機など他の冷凍冷蔵応用商品にも広く適用できる。
【符号の説明】
【００３８】
１  冷蔵庫本体
２  扉
３  機械室
３ａ  機械室ケース
４  空冷凝縮器
５  冷却ファン
６  圧縮機
７  ファンリング
８  バイパス風路
９  下部機械室
１０  第２のファン
１１  蒸発皿
１２  連通風路
１４  機械室カバー
１５  金属製カバー
１６  樹脂製カバー
１７−１，１７−２  係合片部
１８−１，１８−２  係合片部
１９ａ，１９ｂ  係合孔
２０ａ，２０ｂ  係合凸部
２１  把手
２２  吸気口
２３  排気口
【図１】
2015059700.tif 000003
【図２】
2015059700.tif 000004
【図３】
2015059700.tif 000005
【図４】
2015059700.tif 000006
【図５】
2015059700.tif 000007
【図６】
2015059700.tif 000008
【図７】
2015059700.tif 000009
【図８】
2015059700.tif 000010